(57)【要約】【課題】登録作業を容易に行うことができるとともに、通常使用時に顧客を混乱させる虞もない給油装置を提供する。【解決手段】ハウジング本体２に、自装置の初期設定又は設定変更を行うためのデータ登録用キーパッド８を着脱自在に備える給油装置１。片手で操作マニュアルを持ちながら作業を行うことができて登録作業を容易に行うことができるとともに、登録作業を行わない場合には、ハウジング本体からデータ登録用キーパッドを外すことで、通常使用時に顧客を混乱させる虞もない。データ登録用キーパッドは、ハウジング本体に装着されたデータ登録用基板７を覆う板状部材５の上に載置することができる。データ登録用キーパッドは、マグネットシートにキーボードシートを貼着したもの、又はマグネットシートにキーボードシートを印刷したものとすることができる。【選択図】図１
2012158345.tif 000002
【特許請求の範囲】
【請求項１】
ハウジング本体に、自装置の初期設定又は設定変更を行うためのデータ登録用キーパッドを着脱自在に備えることを特徴とする給油装置。
【請求項２】
前記データ登録用キーパッドは、前記ハウジング本体に装着されたデータ登録用基板を覆う板状部材の上に載置されることを特徴とする請求項１に記載の給油装置。
【請求項３】
前記データ登録用キーパッドは、マグネットシートにキーボードシートを貼着したもの、又はマグネットシートにキーボードシートを印刷したものであることを特徴とする請求項１又は２に記載の給油装置。
【請求項４】
前記データ登録用キーパッドは、マグネットシートに、キーボードの各々のキーに相当する領域を、正面から見た場合には目視不可能で、正面以外の方向から見た場合には目視可能なように、該各々の領域の境界に印を付したものであることを特徴とする請求項１又は２に記載の給油装置。
【請求項５】
前記データ登録用キーパッドでの初期設定又は設定変更は、該データ登録用キーパッドを用いて入力されたキーパターンが指定パターンと一致する場合、及び入力された給油装置ＩＤが所定の給油装置ＩＤと一致する場合にのみ実施されることを特徴とする請求項１乃至４のいずれかに記載の給油装置。
【発明の詳細な説明】
【技術分野】
【０００１】
本発明は、キーパッドを省いた単機能の給油装置に関する。
【背景技術】
【０００２】
給油所に設置される給油装置等の各機器は、設置現場において初期設定を行う必要がある。この際の設定項目としては、例えば、給油ノズルと油種との関係、給油装置のＩＤ登録等であり、機器の使用状況に応じて種々のデータを登録する必要がある。また、設定変更の際には、上記初期設定で登録したデータを変更する必要がある。
【０００３】
従来、上記初期設定及び設定変更の際にデータを登録する作業は、例えば特許文献１に記載のように、作業員が操作する可搬式データ入出力装置を用いて行っていたが、近年、設備投資に関わる費用を低く抑えるためにキーパッドを省いた単機能の給油装置のニーズが出てきたため、初期設定作業に支障を来している。
【０００４】
また、従来の給油装置では、データ登録用キーパッドがカウンターユニットの内部に存在するため、このキーパッドを操作するには、キーパッドを片手で持ち、もう一方の手で操作を行う必要がある。しかし、操作マニュアルを見ながら登録作業を行うと、マニュアルを持つことができず、操作が困難になるという問題があった。
【０００５】
また、登録用キーパッドを手元で操作する際には、登録用キーパッドに接続されているケーブルを長く延ばすことができないため、登録用キーパッドの操作が困難であった。
【０００６】
さらに、入力内容を確認するには、ディスプレイを見る必要があるが、操作の際にディスプレイ付きのカバーを持ち上げる必要があるため、入力内容の確認が困難であった。
【０００７】
また、上記問題点を解消するため、ディスプレイと同一面に登録用キーパッドを設置することも考えられるが、そのような構成を採用すると、顧客が通常使用しないキーパッドが存在することとなり、顧客を混乱させる虞があった。
【先行技術文献】
【特許文献】
【０００８】
【特許文献１】特開２００２−９６９００号公報
【発明の開示】
【発明が解決しようとする課題】
【０００９】
そこで、本発明は、上記従来の技術における問題点に鑑みてなされたものであって、片手で操作マニュアルを持ちながら作業を行うことができるなど登録作業を容易に行うことができるとともに、通常使用時に顧客を混乱させる虞もない給油装置を提案することを目的とする。
【課題を解決するための手段】
【００１０】
上記目的を達成するため、本発明は、給油装置であって、ハウジング本体に、自装置の初期設定又は設定変更を行うためのデータ登録用キーパッドを着脱自在に備えることを特徴とする。
【００１１】
そして、本発明によれば、データ登録用キーパッドをハウジング本体に着脱自在に設けたため、片手で操作マニュアルを持ちながら作業を行うことができて登録作業を容易に行うことができるとともに、登録作業を行わない場合には、ハウジング本体からデータ登録用キーパッドを外すことで、通常使用時に顧客を混乱させる虞もない。
【００１２】
上記給油装置において、前記データ登録用キーパッドを、前記ハウジング本体に装着されたデータ登録用基板を覆う板状部材の上に載置することができ、簡易な構成でデータ登録用キーパッドをハウジング本体に着脱自在とすることができる。
【００１３】
また、上記給油装置において、前記データ登録用キーパッドを、マグネットシートにキーボードシートを貼着したもの、又はマグネットシートにキーボードシートを印刷したものとすることができ、容易にハウジング本体に着脱することができる。
【００１４】
さらに、上記給油装置において、前記データ登録用キーパッドを、マグネットシートに、キーボードの各々のキーに相当する領域を、正面から見た場合には目視不可能で、正面以外の方向から見た場合には目視可能なように、該各々の領域の境界に印を付したものとすることができる。このように構成することで、キーボードシートが存在しない場合でも、マグネットシートのキーボードの各々のキーに相当する領域を、所定のキー配列位置に基づいて操作することでデータ登録作業を行うことが可能であるとともに、通常使用時に顧客を混乱させる虞もないため、キーボードシートを貼着又は印刷したマグネットシートを紛失した場合でも対応することができる。
【００１５】
上記給油装置において、前記データ登録用キーパッドでの初期設定又は設定変更は、該データ登録用キーパッドを用いて入力されたキーパターンが指定パターンと一致する場合、及び入力された給油装置ＩＤが所定の給油装置ＩＤと一致する場合にのみ実施されるように構成することができる。これによって、二重のセキュリティーを施すことができ、給油装置の安全性を維持することができる。
【発明の効果】
【００１６】
以上のように、本発明によれば、登録作業を容易に行うことができるとともに、通常使用時に顧客を混乱させる虞もない給油装置を提供することができる。
【図面の簡単な説明】
【００１７】
【図１】本発明にかかる給油装置の一実施の形態を示す図であって、出荷状態又は通常使用状態の外観を示す正面図である。
【図２】図１に示した給油装置の投影図である。
【図３】図１に示した給油装置の初期設定又は設定変更時の外観を示す図であって、（ａ）は正面図、（ｂ）は（ａ）のＡ−Ａ線断面図である。
【図４】図３のＢ部拡大図である。
【図５】図１の給油装置のデータ登録用キーパッドを用いて初期設定等を行う要領を示すフローチャートであって、（ａ）は登録モード設定時、（ｂ）は項目モード設定時を示す。
【図６】図１の給油装置のハウジング本体の板状部材に切れ目を入れた状態を示す正面図である。
【発明を実施するための形態】
【００１８】
次に、本発明を実施するための形態について図面を参照しながら詳細に説明する。
【００１９】
図１は、本発明にかかる給油装置の一実施の形態を示し、同図では、本発明にかかる給油装置１を正面から見た場合のハウジング本体２のディスプレイ３及びその周辺のみを示している。
【００２０】
ハウジング本体２の下方には、給油中に押圧された場合に給油装置１の全ての動作を停止させる緊急停止ボタン４が配置される。緊急停止ボタン４の左右両側には、下方に位置するデータ登録用基板（以下、「基板」と略称する）７（図２及び図４参照）を覆ったり、開口を塞ぐための鉄板等の金属板からなる板状部材５、６が配置される。
【００２１】
図２は、図１の板状部材５を外した状態を示し、基板７が配置されている。これら図１及び図２で示した状態が給油装置１の出荷時又は通常使用時の状態であり、給油所に設置される前の状態、又は、給油所に設置された後初期設定が完了し、顧客が給油作業を行うことが可能な状態である。
【００２２】
図３は、給油装置１の初期設定又は設定変更時の状態を示し、この給油装置１では、図１に示した板状部材５に上にデータ登録用キーパッド８が貼着され、キーボード８ａが板状部材５の下方に位置する基板７に対応する位置に貼着される。データ登録用キーパッド８は、マグネットシートにキーボードシートを貼着したもの、又はマグネットシートにキーボードシートを印刷したものとすることができ、板状部材５が鉄板等からなるため、板状部材５の上面に載置するだけで板状部材５と一体化され、容易にずれることはない。
【００２３】
以上のように構成されることで、図４に示すように、ハウジング本体２内に装着された基板７の上方に板状部材５が位置し、さらに板状部材５の上方にデータ登録用キーパッド８が積層され、データ登録用キーパッド８のキーボード８ａ（図３参照）を操作することで、基板７を介して給油装置１の初期設定又は設定変更を行うことができる。
【００２４】
次に、上記キーボード８ａによる初期設定又は設定変更時のデータ登録要領について、図５を中心に参照しながら説明する。ここでは、給油所に設置された給油装置（計量機）の初期設定を行う場合について説明する。
【００２５】
初期設定は、登録モード設定と、項目モード設定の２つのステップからなり、登録モード設定は、指定パターンの入力と給油装置ＩＤの入力との２段階で構成されるセキュリティ用の前処理である。この登録モード設定が完了すると、項目モード設定が可能となる。以下、まず登録モードの設定要領について図５（ａ）を中心に参照しながら説明する。
【００２６】
キーボード８ａのいずれかのキーが押圧されたか否かを判断し、いずれかのキーが押圧された場合には（ステップＳ１；Ｙｅｓ）、ステップＳ２に進み、いずれのキーも押圧されていない場合には（ステップＳ１；Ｎｏ）、いずれかのキーが押圧されるまで待つ。
【００２７】
ステップＳ２において、キー操作の押圧時間間隔（あるキーが押されてから次のキーが押されるまでの時間）が２秒以上であるか否かを判断し、キー操作の押圧時間間隔が２秒未満の場合には（ステップＳ２；Ｙｅｓ）、ステップＳ３で、入力されたキー入力パターンが指定パターンであるか否かを判断する。一方、キー操作の押圧時間間隔が２秒以上の場合には（ステップＳ２；Ｎｏ）、ステップＳ１に移る。
【００２８】
ステップＳ３において、入力されたキー入力パターンが指定パターンと一致する場合には（ステップＳ３；Ｙｅｓ）、ステップＳ５において、登録モードの仮設定がなされる。一方、入力されたキー入力パターンが指定パターンと一致しない場合には（ステップＳ３；Ｎｏ）、ステップＳ１に移る。
【００２９】
次に、ステップＳ６において、給油装置ＩＤの入力操作がなされたか否かを判断し、給油装置ＩＤが入力された場合には（ステップＳ６；Ｙｅｓ）、ステップＳ７において、入力されたキーパターンと、給油装置ＩＤとが一致するか否かを判断し、一致する場合には（ステップＳ７；Ｙｅｓ）、ステップ８において、登録モードの設定を完了し、後述の項目モードの設定へと移行する。一方、ステップＳ６において、給油装置ＩＤの入力操作がなされていないと判断された場合には、給油装置ＩＤが入力されるまで待ち、入力されたキーパターンと、給油装置ＩＤとが一致しないと判断された場合には（ステップＳ７；Ｎｏ）、ステップＳ４に移る。
【００３０】
ステップＳ４において、ステップＳ７で入力されたキーパターンと、給油装置ＩＤとが一致しないと判断された場合には（ステップＳ７；Ｎｏ）、原則としてステップＳ１へと戻るが、これらの判断が合計で１日に３回以上なされた場合には（ステップＳ４；Ｙｅｓ）、セキュリティの観点から登録モードの設定を終日禁止する。
【００３１】
次に、上記登録モードの設定に引き続いて行われる項目モードの設定要領について説明する。
【００３２】
まず、ステップＳ１１において、項目コードが入力されたか否かを判断し、項目コードが入力されたと判断された場合には（ステップ１１；Ｙｅｓ）、ステップＳ１２において、入力された項目コードに対応する項目をハウジング本体２のディスプレイ３に表示する。一方、ステップＳ１１で、項目コードが入力されていないと判断された場合には（ステップＳ１１；Ｎｏ）、項目コードが入力されるまで待つ。
【００３３】
次に、ステップＳ１３において、表示された項目が入力又は修正されたか否かを判断し入力又は修正がなされたと判断された場合には（ステップＳ１３；Ｙｅｓ）、さらに、ステップＳ１４において、単位変更キーが押圧されたか否かを判断し、単位変更キーが押圧されたと判断された場合には（ステップＳ１４；Ｙｅｓ）、ステップＳ１５において、上記指定した変更をして項目設定を完了する。一方、ステップＳ１３で、入力又は修正がなされていないと判断された場合（ステップＳ１３；Ｎｏ）や、ステップＳ１４で単位変更キーが押圧されていないと判断された場合には（ステップＳ１４；Ｎｏ）、これらが行われるまで待つ。
【００３４】
そして、ステップＳ１６において、Ｃ（クリア）キーが３回押圧された否かを判断し、Ｃキーが３回押圧されたと判断された場合には（ステップＳ１６；Ｙｅｓ）、ステップＳ１１へと戻って項目コードを入力して他の項目設定を行う。これにより、後述の項目インクリメントに従わずに項目設定を行うことができて便利である。
【００３５】
また、ステップＳ１６で、Ｃキーが３回押圧されていないと判断された場合（ステップＳ１６；Ｎｏ）には、ステップＳ１７で、ノズルスイッチ（ＳＷ）がＯＮとなったか否かを判断し、ノズルＳＷがＯＮとなったと判断された場合には（ステップＳ１７；Ｙｅｓ）、ステップ１８において、登録モードを離脱して処理を終了する。
【００３６】
一方、ステップＳ１７で、ノズルＳＷがＯＮとなっていないと判断された場合には（ステップＳ１７；Ｎｏ）、ステップＳ１９において、項目インクリメントを行う。この項目インクリメントは、予め設定された設定順番に従って、ステップＳ１５で項目設定を完了すると、ステップＳ１２で次の項目を表示して、スムーズに作業できるために設けられる。
【００３７】
上記実施の形態においては、図３及び図４に示すように、データ登録用キーパッド８が、板状部材５の上に、キーボード８ａが板状部材５の下方に位置する基板７に対応する位置に貼着される。しかし、データ登録用キーパッド８は、給油装置１の初期設定又は設定変更に用いられるだけで、通常は使用しないため、通常使用時にデータ登録用キーパッド８を給油装置１のハウジング本体２から外しておくと、データ登録用キーパッド８を紛失する虞がある。
【００３８】
そこで、図６に示すように、板状部材５に、図３に示したデータ登録用キーパッド８のキーボード８ａの各々のキーに相当する領域５ａにカッター等で切れ目５ｂを入れることで、板状部材５を正面から見た場合には、切れ目５ｂが目視不可能で、正面以外の方向から見た場合には、切れ目５ｂを目視可能なようにすることで、データ登録用キーパッド８を紛失した場合でも、データ登録用キーパッド８のキーボード８ａの各々のキーに相当する領域５ａを所定のキー配列位置に基づいて操作することで、データ登録作業を行うことが可能となる。また、通常使用時に顧客は、切れ目５ｂの存在に気付かないため、顧客を混乱させる虞もない。
【符号の説明】
【００３９】
１  給油装置
２  ハウジング本体
３  ディスプレイ
４  緊急停止ボタン
５  板状部材
５ａ  （キーに相当する）領域
５ｂ  切れ目
６  板状部材
７  基板
８  データ登録用キーパッド
８ａ  キーボード
【図１】
2012158345.tif 000003
【図２】
2012158345.tif 000004
【図３】
2012158345.tif 000005
【図４】
2012158345.tif 000006
【図５】
2012158345.tif 000007
【図６】
2012158345.tif 000008